(57)【要約】      （修正有）【課題】複数階からなる集合住宅に敷設されるＴＶ配線経路を効率良く自動作図することができ、さらに、配線経路を立体的に把握することができるようにする。【解決手段】ＴＶ配線に使用される機器、ケーブルそれぞれに、自己の識別情報と、接続元および接続先機器、ケーブルの識別情報と、配置される階を示す階情報とをつながり属性として設定し、ＴＶ配線の始端または終端に配置されている機器のつながり属性を参照することにより接続先機器またはケーブルを特定して配線系統図を展開ｄするとともに、機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開する。【選択図】図３
2006331352.tif 000002
【特許請求の範囲】
【請求項１】
複数階からなる建物の平面図に描画されたＴＶ配線図から建物全体の配線系統図を作成するためのプログラムであって、
ＴＶ配線に使用される機器、ケーブルそれぞれに、自己の識別情報と、接続元および接続先機器、ケーブルの識別情報と、配置される階を示す階情報とをつながり属性として設定し、
配線系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開し、
建物の階層方向に順次、配線系統図を展開していく処理をコンピュータに行わせるためのＴＶ配線自動作成プログラム。
【請求項２】
請求項１記載のＴＶ配線自動作成プログラムにおいて、
上記機器が複数の出力端子を有する場合、複数の出力端子からＴＶ配線系統図を分岐させ展開することを特徴とするもの。
【請求項３】
請求項１または２記載のＴＶ配線自動作成プログラムにおいて、
建物の部屋数に対応して作図された複数の部屋枠に対し、
立面図作成命令を受けて、上記配線系統図における各階の機器、ケーブルをその作図された部屋枠内に割り付けることを特徴とするもの。
【請求項４】
請求項１〜３のいずれか１項に記載のＴＶ配線自動作成プログラムにおいて、
平面図のケーブル端に下向矢印記号が描画され、そのケーブル端に対応して別の平面図のケーブル端に上向矢印記号が描画された際に、両方の階のケーブルをデータ上でリンクさせること特徴とするもの。
【請求項５】
請求項１〜４のいずれか１項に記載のＴＶ配線自動作成プログラムにおいて、
部屋の側壁に沿って垂直方向に配線されるケーブルの長さを、建物の部屋高さを参照することにより算出することを特徴とするもの。
【請求項６】
請求項１〜５のいずれか１項に記載のＴＶ配線自動作成プログラムにおいて、
レベルチェック命令を受けて上記配線系統図上の任意の機器について信号レベルの減衰量を計算し出力することを特徴とするもの。
【請求項７】
複数階からなる建物の平面図に描画されたＴＶ配線図から建物全体の配線系統図を作成する配線系統図作成方法であって、
ＴＶ配線に使用される機器、ケーブルそれぞれに、自己の識別情報と、接続元および接続先機器、ケーブルの識別情報と、配置される階を示す階情報とをつながり属性として設定し、
配線系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開し、
建物の階層方向に順次、配線系統図を展開していくことを特徴とするＴＶ配線自動作成方法。
【請求項８】
複数階からなる建物の平面図に描画されたＴＶ配線図から建物全体の配線系統図を作成する配線系統図作成装置であって、
各種命令を入力するとともに、ＴＶ配線に使用される機器、ケーブルそれぞれに、自己の識別情報と、接続元および接続先機器、ケーブルの識別情報と、配置される階を示す階情報とをつながり属性として設定する入力部と、
この入力部によって設定された上記つながり属性を記憶する記憶部と、
上記入力部から系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開する制御部と、
展開された配線系統図を出力する表示部とを備えてなることを特徴とするＴＶ配線自動作成装置。
【請求項９】
上記記憶部は、上記入力部によって設定された上記属性を、機器、ケーブルを上記表示部に表示するための図形情報とともに記憶するように構成されている請求項８記載のＴＶ配線自動作成装置。
【請求項１０】
上記表示部は、同一の配線構成の階について、上層階からつながっていることを示す上向矢印と、下層階へつながっていることを示す下向矢印とを表示するように構成されている請求項８または９記載のＴＶ配線自動作成装置。
【発明の詳細な説明】
【技術分野】
【０００１】
本発明は、ビルや集合住宅等に敷設されるＴＶ配線をＣＡＤ（Computer Aided design）を利用して自動的に作成するＴＶ配線自動作成方法およびその装置に関するものである。
【背景技術】
【０００２】
今日、テレビ放送はアナログ地上波放送から、高品質な放送を提供することが可能な地上デジタル放送へと移行しつつあり、既に2003年12月には、関東、中京、近畿の３大広域圏で地上波によるデジタル放送が始まり、今後、2006年末までには全国の県庁所在地等の主要都市でデジタル放送の開始が予定され、さらに2011年7月には現在の地上アナログ放送が終了し、地上デジタル放送へ完全に移行することが予定されている。
【０００３】
これに伴い、放送周波数は従来のＶＨＦ帯域からＵＨＦ帯域に移行することになり、このＵＨＦ帯域のデジタル放送を受信するには、地上デジタルテレビ放送用チューナが必要であり、そのチューナに対し、受信した電波を送信するためのアンテナ、ケーブル等の線路図についても修正が必要となっている。
【０００４】
例えば、アナログ放送であれば信号レベルが低くても受信できていたものがデジタル放送に切り換わることによって全く受信できないことも起こり得る。この場合、アンテナの交換やブースタの導入を検討しなければならない。
【０００５】
新たに配線計画を立てる際、手作業による実測誤差や機器の集計誤りを解消する方法としてＣＡＤを利用した自動配線方法が従来から知られている（例えば、特許文献１参照）。
【特許文献１】特開平０５−０３５８１１号公報
【発明の開示】
【発明が解決しようとする課題】
【０００６】
上記した従来の自動配線方法によれば、建屋における電気機器の配置を基本レイヤに描き、電気機器を接続するための配線を複数のレイヤに分けて経路毎に示すことができ、配線の種別別合計長さが自動的に得られる。
【０００７】
しかしながら、この自動配線方法を高層階からなる集合住宅に適用しようとすると、高層階の各階について配線経路図を作成しなければならないため配線計画が繁雑になり、また、階層方向の配線経路図を描くことができないため、集合住宅全体の配線系統図を立体的に把握することができないという問題があった。
【０００８】
本発明は以上のような従来の自動配線方法における課題を考慮してなされたものであり、複数階からなるビルや集合住宅に敷設されるＴＶ配線系統図を効率良く自動作成することができ、さらに、ＴＶ配線系統を立体的に把握することができるＴＶ配線自動作成方法およびその装置を提供するものである。
【課題を解決するための手段】
【０００９】
本発明に係るＴＶ配線自動作成プログラムは、複数階からなる建物の平面図に描画されたＴＶ配線図から建物全体の配線系統図を作成するためのプログラムであって、ＴＶ配線に使用される機器、ケーブルそれぞれに、自己の識別情報と、接続元および接続先機器、ケーブルの識別情報と、配置される階を示す階情報とをつながり属性として設定し、配線系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開し、建物の階層方向に順次、配線系統図を展開していく処理をコンピュータに行わせるためのものである。
【００１０】
本発明においてＴＶ配線図とは、複数の平面図に個別にＴＶ配線を描画したものを意味し、配線系統図とは、建物全体のＴＶ配線をツリー構造で系統的に示したものを意味する。従って配線系統図には階層方向に配線される配線も含まれる。
【００１１】
本発明においてプログラムとは、コンピュータによって直接実行可能なもの、およびハードディスクなどにインストールすることによって実行可能となるものの両方を含む概念である。また、インターネット上でインストールされる場合には圧縮、暗号化されたものも含む概念である。
【００１２】
上記ＴＶ配線自動作成プログラムでは、上記機器が例えば分岐器のように複数の出力端子を有する場合、それらの複数の出力端子からＴＶ配線系統図を分岐させる。
【００１３】
また、上記ＴＶ配線自動作成プログラムでは、オペレータが建物の部屋数に対応して複数の部屋枠を例えば作図ウインドウ内に作図し、立面図作成命令を入力した場合、上記配線系統図における各階の機器、ケーブルをその作図された部屋枠内に割り付ける。
【００１４】
また、上記ＴＶ配線自動作成プログラムでは、オペレータが平面図のケーブル端に下向矢印記号を描画し、そのケーブル端に対応して別の平面図のケーブル端に上向矢印記号を描画した場合、両方の階のケーブルをデータ上でリンクさせる。
【００１５】
また、上記ＴＶ配線自動作成プログラムでは、部屋の側壁に沿って垂直方向に配線されるケーブルの長さについては、オペレータが予め入力した建物の部屋高さを参照することにより算出する。
【００１６】
また、上記ＴＶ配線自動作成プログラムでは、オペレータが上記配線系統図上の任意の機器を指定してレベルチェック命令を入力した場合、その指定した機器について信号レベルの減衰量を計算し出力する。
【００１７】
本発明のＴＶ配線自動作成方法は、複数階からなる建物の平面図に描画されたＴＶ配線図から建物全体の配線系統図を作成する配線系統図作成方法であって、ＴＶ配線に使用される機器、ケーブルそれぞれに、自己の識別情報と、接続元および接続先機器、ケーブルの識別情報と、配置される階を示す階情報とをつながり属性として設定し、配線系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開し、建物の階層方向に順次、配線系統図を展開していくことを要旨とする。
【００１８】
本発明のＴＶ配線自動作成装置は、複数階からなる建物の平面図に描画されたＴＶ配線図から建物全体の配線系統図を作成する配線系統図作成装置であって、各種命令を入力するとともに、ＴＶ配線に使用される機器、ケーブルそれぞれに、自己の識別情報と、接続元および接続先機器、ケーブルの識別情報と、配置される階を示す階情報とをつながり属性として設定する入力部と、この入力部によって設定された上記つながり属性を記憶する記憶部と、上記入力部から系統図作成命令を受けて、上記ＴＶ配線の始端または終端に配置されている機器のつながり属性を参照することにより接続先機器またはケーブルを特定して配線系統図を展開するとともに、上記機器およびケーブルに複数の階情報が設定されている場合は、複数の階についてその機器およびケーブルと同じ構成を繰り返し展開し、複数の階情報が設定されていない場合は、その機器およびケーブルを単一階についてのみ展開する制御部と、展開された配線系統図を出力する表示部とを備えてなることを要旨とするものである。
【００１９】
本発明のＴＶ配線自動作成装置において、上記記憶部は、上記入力部によって設定された上記属性を、機器、ケーブルを上記表示部に表示するための図形情報とともに記憶するように構成することができる。
【００２０】
また、上記表示部は、同一の配線構成の階について、上層階からつながっていることを示す上向矢印と、下層階へつながっていることを示す下向矢印とを表示するように構成することができる。
【発明の効果】
【００２１】
本発明のＴＶ配線自動作成方法および装置によれば、複数階からなるビルや集合住宅の平面図に描かれたＴＶ配線から建物全体のＴＶ配線系統図を効率良く自動作成することができ、さらに、ＴＶ配線系統を立体的に把握することができるという長所を有する。
【発明を実施するための最良の形態】
【００２２】
以下、図面に示した実施の形態に基づいて本発明を詳細に説明する。
図１は、本発明に係るＴＶ配線自動作成装置１の基本構成を示したものである。
同図において、入力部２は文字、数値、各種命令を入力するためのものである。
【００２３】
記憶部３にはＴＶ配線自動作成プログラム（以下配線作成プログラムと略称する）が記憶されるようになっている。この配線作成プログラムは、ＣＡＤソフト（本実施形態ではオートデスク社製ＡｕｔｏＣＡＤ  Ver.２００４以降）のアドオンアプリケーションとして動作するようになっている。
【００２４】
入力部２から建物平面図を作成するための操作が行われると、ＣＡＤソフトに搭載されている基本コマンドにて建物の平面図が作成され表示部５に表示される。また、入力部２からＴＶ配線を作成するための作図操作が行われると、予め用意された配線用の部品ファイルを利用して平面図上にＴＶ配線に必要なアンプやケーブル等を描くことができ、さらに、ＴＶ配線系統図の作成命令が入力されると、平面図上に描かれたＴＶ配線をＴＶ配線系統図に展開するようになっている。
【００２５】
図２は、上記制御部４をＣＰＵ６を用いて実現した場合のハードウエア構成を示したものである。
【００２６】
同図において、ＣＰＵ６にはメモリ７、表示部としてのディスプレイ５、入力部としてのキーボード２、記憶部としてのハードディスク３、ＣＤ−ＲＯＭドライブ８が接続されている。
【００２７】
また、ハードディスク３には配線作成プログラム３ａ、ＣＡＤプログラム３ｂ、ＯＳ（オペレーティングシステム）３ｃが記憶されている。なお、上記配線作成プログラム３ａはＣＤ−ＲＯＭドライブ８を介してＣＤ−ＲＯＭ８ａからインストールされるようになっている。
【００２８】
なお、入力部としてはキーボードと同等の機能を有するものであれば、画面上の位置をペンで指示するように構成されたタブレット等の入力装置を利用することもできる。
【００２９】
図３は配線作成プログラム３ａによる主な処理の流れを示したものである。
【００３０】
同図において処理の流れは、ａ）機器・値の設定→ｂ)平面図を作図→ｃ)平面図にＴＶ配線を作図→ｄ)ＴＶ配線図からＴＶ配線系統図を展開→ｅ)ＴＶ配線系統図にてチェック・修正→ｆ）ＴＶ配線系統図から立面図を展開となる。
【００３１】
次に、上記ａ)〜ｆ)の各処理を実行するＣＰＵ６の動作についてフローチャートを参照しながら説明する。
【００３２】
以下の説明では既存の４階立てビル内に地上デジタルテレビ放送用のＴＶ配線を引く場合を例に取り説明する。なお、ディスプレイ５の画面上には作図ウインドウ（実際に設計図を作成する領域）が開かれているものとする。
【００３３】
ａ)  機器・値の設定
図４に示すフローチャートは機器・値の設定処理を示したものである。
【００３４】
オペレータが画面上で環境設定ファイルを開き、キーボード２のテンキーを操作して建物の階数（本実施形態では“４”）、室内高さ、ボックスの高さ、ユニットの高さ、余長等の数値を入力すると、その入力されたデータは環境設定ファイルに設定される（ステップＳ１）。
【００３５】
次いで、ユーザー環境設定ファイルを開き、機器やケーブルについて設定を行う。例えば、機器として使用するシンボルを選択し、機器番号やレベル（アンプの場合は出力レベル、ケーブルの場合は損失量）等を定義する（ステップＳ２）。なお、シンボルは予め部品化されており、作図ウインドウ内に貼り付けることができるようになっている。
【００３６】
部品データファイルおよびユーザー環境設定ファイルへの設定が終了すると（ステップＳ３）、機器・値の設定処理を終了し、さらに追加の設定項目があればステップＳ１に戻って設定が行われる。
【００３７】
ｂ)  平面図の作成
図５に示すフローチャートは平面図作成処理を示したものである。
【００３８】
オペレータはまずディスプレイ５の作図ウインドウ内に建物の間取り図を作図する。
【００３９】
この作業は従来の建物平面図をＣＡＤで作図する方法と同様であり、通り芯（柱や壁などの中心位置を示す線）を垂直および水平方向に描き（ステップＳ４→Ｓ５→Ｓ６）、引き続き（ステップＳ７においてＮＯ）その通り芯を基準として柱を描き（ステップＳ４→Ｓ８→Ｓ６）、さらに壁を描く（ステップＳ４→Ｓ９→Ｓ６）という操作を行うことにより建物の屋上部分、途中階部分、１階部分の各平面図を順番に作図していく。
【００４０】
作図した各平面図についてはその平面図を領域指定して階数登録メニューで数値を入力することにより階数を決定する。
【００４１】
ただし、ある平面図に対して複数の階の値、例えば“２”、“３”、“４”を入力すると、その平面図は２階〜４階部分に共通の図面として扱われることになる。
【００４２】
ｃ)  平面図にＴＶ配線を作図
図６に示すフローチャートは、上記の手順で作図された平面図上にＴＶ配線を引く処理を示したものである。
【００４３】
同図において、オペレータが作図メニュー９（図７参照）の中にある作図項目として例えばケーブルボタン９ｆをクリックし、平面図上の一方の点にカーソルを移動させてクリックすると、移動先である他方の点を指定するようにプロンプトが表示され、マウスをドラッグさせるとマウスの移動に連動して直線が引かれる。次いで他方の点を指定してエンターキーを押すことにより線分、すなわちケーブルが描かれる（ステップＳ１０→Ｓ１１）。
【００４４】
また、ボックスボタン９ｂをクリックして平面図上の点を指定すると指定した位置にボックスがシンボルで描かれる（ステップＳ１２→Ｓ１３）。
【００４５】
また、アンプボタン９ａをクリックして平面図上の点を指定すると指定した位置にアンプがシンボルで描かれる（ステップＳ１４→Ｓ１５）。このアンプシンボルは向きを自由に変更することができるようになっている。
【００４６】
また、スプリッタボタン９ｃをクリックして平面図上の点を指定すると指定した位置に分岐・分配器がシンボルで描かれる（ステップＳ１４→Ｓ１６）。
【００４７】
また、ユニットボタン９ｄをクリックして平面図上の点を指定すると指定した位置に、ＴＶチューナからのアンテナケーブルを接続するためのアンテナ端子（壁面に取り付けられる）がシンボルで描かれる（ステップＳ１４→Ｓ１７）。
【００４８】
上記作図された機器やケーブルは、複数のレイヤーに仕分けされた状態で作図編集されるが（ステップＳ１８）、ディスプレイ５上では基本レイヤーと重ね合わされ一枚の図面として表示される。
【００４９】
次いで、上記方法で描かれた機器やケーブルに対しつながり属性を入力する（ステップＳ１９→Ｓ２０）。このつながり属性はオペレータによって自由に設定することができるものであり、機器やケーブル等について自己を識別するためのＩＤ、接続元となる入力機器ＩＤ（または入力ケーブルＩＤ）、接続先となる出力機器ＩＤ（または出力ケーブルＩＤ）、後述する階数情報等を含む。
【００５０】
次いで、矢印ボタン９ｅ（図７参照）をクリックし、異なる階の平面図上の２点を指定すると、（ステップＳ２１→Ｓ２２→Ｓ２３）、ＣＰＵ６はその２点を直線で結ぶ代わりに階上側の点については下向矢印のシンボルを描き、階下側の点については上向矢印のシンボルを描く。これら対向する一対の矢印シンボルは、２点がケーブルで階層方向に結ばれていることを意味している。
【００５１】
また、ＣＰＵ６は一対の矢印シンボルを描いた際に、上向矢印シンボルのＩＤ、その上向矢印シンボルに接続されている機器のＩＤを取得して下向矢印シンボルのつながり属性に設定し、この逆に下向矢印シンボルのＩＤ、その下向矢印シンボルに接続されている機器またはケーブルのＩＤを取得して上向矢印シンボルのつながり属性に設定するようになっている。
【００５２】
すなわち、ＣＰＵ６は、ステップＳ２４において上向矢印シンボルが入力された場合は（ステップＳ２４）、階上の下向矢印シンボルとつながっていることを示すリンク処理を行ない（ステップＳ２５）、下向矢印シンボルが入力された場合には（ステップＳ２４）階下の上向矢印シンボルとつながっていることを示すリンク処理を行なう（ステップＳ２５）。
【００５３】
このように平面図上に描画される機器やケーブルはそれぞれつながり属性を持っており、表１にそのデータ構造を示す。
【００５４】
【表１】
2006331352.tif 000003
【００５５】
表１においてケーブルは、その図形情報とともにケーブル長さ、自己ＩＤ、入力側に接続される入力機器ＩＤ、出力側に接続される出力機器ＩＤ、開始階数および終了階数等を持っている。
【００５６】
なお、上記開始階数とはそのケーブルの始点となる階を示し、終了階数とはケーブルの終点となる階を示している。例えば開始階数が“４”で終了階数が“３”の場合には４階からケーブルが延設され３階で終了していることを意味する。また、開始階数が“４”で終了階数が“２”の場合にはケーブルが４階→３階→２階まで接続されており、指定された階数分、同一のケーブルのデータが存在していることを意味している。なお、終了階数がない場合は単一階のみにあることを意味する。
【００５７】
なお、階数入力は作図メニュー９の階数入力ボタン９ｑをクリックすることによって現れる入力欄に数値を入力する。
【００５８】
アンプはその図形情報とともに自己ＩＤ、入力側に接続される入力ケーブルＩＤ、出力側に接続される出力ケーブルＩＤ、別の出力側に接続される出力ケーブルＩＤ、開始階数および終了階数等を持っている。ただし、このアンプは、２つの出力端子を持つものであり、端子番号は入力端子については“１１”、分岐する第一の出力端子については“２１”，第二の出力端子については“３１”と決めている。
【００５９】
分岐・分配は図形情報とともに自己ＩＤ、入力側に接続される入力ケーブルＩＤ、出力側に接続される出力ケーブルＩＤ、別の出力側に接続される出力ケーブルＩＤ、開始階数および終了階数等を持っている。
【００６０】
ユニットは図形情報とともに自己ＩＤ、入力ケーブルＩＤ、出力ケーブルＩＤ、開始階数および終了階数等を持っている。
【００６１】
ボックスは図形情報とともに自己ＩＤ、開始階数および終了階数等を持っている。
【００６２】
矢印は図形情報とともに自己ＩＤ、相手側の矢印ＩＤ、接続元機器ＩＤ（上流側矢印に接続されている機器またはケーブルのＩＤ）、接続先機器ＩＤ（下流側矢印に接続されている機器またはケーブルのＩＤ）、開始階数および終了階数等を持っている。
【００６３】
なお、表１では機器類、ケーブルのデータ構造の違いをわかりやすくするため表形式で表したが、実際のデータ構造はＣＡＤで処理される図形データに連続する一連のデータ列である。
【００６４】
表１に示したつながり属性は図面ファイルに設定される。
【００６５】
次いでオペレータは作図ウインドウ内の各平面図について個別に領域指定し、それぞれ階数をキーボード２から入力する（ステップＳ２６）。上述したように一つの平面図が複数階共通である場合には、その複数階分の数値を入力する。
【００６６】
図８〜図１０は平面図上に描かれたＴＶ配線を示したものであり、図８は屋上部分の平面図、図９は２〜４階部分の平面図、図１０は１階部分の平面図である。
【００６７】
図８において、屋上にテレビジョンアンテナ１０が配置され、このテレビジョンアンテナ１０の出力側に増幅器１１が接続され、この増幅器１１の出力はケーブル１２ａを介して２分配器１３に接続され、その２分配器１３によって分岐された左系統ケーブル１２ｂはさらに３分配器１４ａによって３本のケーブル、すなわち第１ケーブル１２ｄ０〜第３ケーブル１２ｆ０に分かれている。ただし、第３ケーブル１２ｆ０については３分配器１４ａから真下に配線されるため、平面図には現れない。
【００６８】
各ケーブル１２ｄ０〜１２ｆ０の先端には下向矢印Ｆｄがそれぞれ付加され、これら第１〜第３ケーブル１２ｄ０〜１２ｆ０は階下のケーブルに接続されることを示している。
【００６９】
また、２分配器１３によって分岐された右左系統ケーブル１２ｃについても同様に３分配器１４ｂに接続され、３本のケーブル、すなわち第４ケーブル１２ｇ０〜第６ケーブル１２ｉ０が描画されている。
【００７０】
各ケーブル１２ｇ０〜１２ｉ０の先端にも下向矢印Ｆｄが付加され、階下のケーブルに接続されることを示している。
【００７１】
次に、図９において、２〜４階部分は共通の平面図Ｂで示され、その平面図Ｂ上にオペレータによって機器、ケーブル等が描かれている。
【００７２】
同図において、左系統のケーブルにおいて下向矢印Ｆｄと対応する位置、すなわち４階４０１〜４０３号室には上向矢印Ｆｕが描画され、右系統の下向矢印Ｆｄと対応する４０４〜４０６号室にも上向矢印Ｆｕがそれぞれ描画されている。なお、図中の４０１〜４０６号室は説明のために付したものであり、ディスプレイ５に表示されない。
【００７３】
次いで、４０１〜４０３号室の上向矢印Ｆｄに２分岐器１５ａ４〜１５ｃ４がそれぞれ接続され、４０１号室については２分岐器１５ａ４からケーブル１２ｄ４と１２ｄ′４が分岐され、部屋内に配線される分岐ケーブル１２ｄ′４に複数のアンテナ端子１６ａ４が直列に接続されている。
【００７４】
４０２号（４０３号）室についても同様に２分岐器１５ｂ４（１５ｃ４）からケーブル１２ｅ４と１２ｅ′４（１２ｆ４と１２ｆ′４）が分岐され、部屋内に配線される分岐ケーブル１２ｅ′４（１２ｆ′４）に複数のアンテナ端子１６ｂ４（１６ｃ４）が直列に接続されている。
【００７５】
４０４〜４０６号室の上向矢印Ｆｄについても４０１〜４０３号室の配線と同様のＴＶ配線が描かれている。
【００７６】
なお、右系統の２分岐器１５ａ４〜１５ｆ４には下向矢印Ｆｄがそれぞれ付加され、さらにケーブルが下層階へ接続されていることが示されている。
【００７７】
４階部分に敷設された上記機器、ケーブルの配置は、３階部分および２階部分についても共通である。
【００７８】
図１０は１階部分の平面図Ｃを示したものであり、その平面図Ｃ上に機器、ケーブル等が描かれている。
【００７９】
同図において、各部屋には２階のケーブルと接続するための上向矢印Ｆｕが入力されている。各部屋１０１〜１０６号室にはアンテナ端子１６ａ１〜１６ｆ１が配置され、例えばアンテナ端子１６ａ１は上向矢印Ｆｕから延設されるケーブル１２ｄ１に接続されている。
【００８０】
図６に戻って説明する。
【００８１】
すべての作図が終了していない場合は（ステップＳ２７においてＮＯ）、ステップＳ１０に戻る。すべての作図が終了する（ステップＳ２７においてＹＥＳ）。
【００８２】
次いで、オペレータがＴＶ配線図上の任意の機器、ケーブルにカーソルを合わせ、レベル参照ボタン９０をクリックすると、機器、ケーブルのつながり属性に設定されているレベル、例えばアンプであればその出力レベルを参照することができるようになっている。
【００８３】
次いでオペレータがＯＫボタン９ＳをクリックするとＴＶ配線作図処理を終了する（ステップＳ３０においてＹＥＳ）。
【００８４】
ｄ）  ＴＶ配線図からＴＶ配線系統図に展開
図１１に示すフローチャートはＴＶ配線図からＴＶ配線系統図への展開処理を示したものである。
【００８５】
同図において、平面図にＴＶ配線が描かれた後、オペレータがブロダイ（ブロック線図）ボタン９ｇ（図７参照）をクリックすることによりＴＶ配線系統図の作成命令を入力すると（ステップＳ３１）、ＣＰＵ６は図８〜１０に示したＴＶ配線図から図１２に示すＴＶ配線系統図を展開する（ステップＳ３２）。
【００８６】
詳しくは、ＣＰＵ６はまずＴＶ配線系統図の始端としてアンプ１１のつながり属性を参照することにより、その出力側に接続されているケーブルを探し出す。具体的には、アンプ１１のつながり属性に設定されている出力ケーブルＩＤを検索することにより、該当するＩＤを持つケーブルを特定し、アンプ１１の出力側にその特定されたケーブル１２ａを縦方向に垂下する状態で描画する。この際、つながり属性に設定されているケーブル長さに基づいてケーブル近傍にケーブル実長を例えば“５ｍ”と表示する。
【００８７】
次に、ケーブル１２ａのつながり属性を参照することによりそのケーブル１２ａに接続されている機器を探し出す。
【００８８】
このケーブル１２ａに設定されている出力機器ＩＤを検索することにより、２分配器１３の接続されていることが分かり、ケーブル１２ａの先端に接続される２分配器１３を描画する。
【００８９】
次に２分配器１３のつながり属性を参照することによりその２分配器１３の出力側に接続されるケーブルを特定する。
【００９０】
２分配器１３には二つの端子番号“２１”および“３１”が設定されており、各端子番号に対応して設定されている出力ケーブルＩＤを参照することにより、ケーブル１２ｂおよび１２ｃを特定する。
【００９１】
特定されたケーブル１２ｂを、２分配器１３から分岐される一方のケーブルとして垂下させ、つながり属性から取得したケーブル長さをそのケーブル近傍に表示する。ケーブル１２ｃについても同様に２分配器１３から分岐される他方のケーブルとして垂下させ、つながり属性から取得したケーブル長さをそのケーブル近傍に表示する。
【００９２】
次にケーブル１２ｂの下流側に接続される機器、ケーブルを描画していく。
【００９３】
ケーブル１２ｂの端子番号２１に設定されている出力機器ＩＤを参照することにより、３分配器１４ａが接続されていることがわかるため、ケーブル１２ｂの先端に３分配器１４ａを描画する。
【００９４】
次に、その３分配器１４ａのつながり属性を参照することにより、その出力端子には３本のケーブル１２ｄ０，１２ｅ０，１２ｆ０がそれぞれ接続されていることが特定されるため、各ケーブル１２ｄ０，１２ｅ０，１２ｆ０を３分配器１４ａから垂下する状態で描画する。
【００９５】
なお、各ケーブル１２ｄ０，１２ｅ０，１２ｆ０の階層方向のケーブル長さは、図４のステップＳ１にて設定された室内高さを参照することによって求めている。
【００９６】
これらのケーブル１２ｄ０，１２ｅ０，１２ｆ０の先端にはそれぞれ下向矢印Ｆｄ（図８参照）が付与されているため、下向矢印のつながり属性を参照することにより、その下向矢印Ｆｄにつながる上向矢印Ｆｕを探し出す。
【００９７】
探し出された上向矢印Ｆｕのつながり属性にはその上向矢印Ｆｕに接続されている機器ＩＤが設定されているため、その機器が２分岐器１５ａ４であることを特定し、ケーブル１２ｄ０の先端に描画する。
【００９８】
次に、この２分岐器１５ａ４の出力ケーブルＩＤを参照することによりケーブル１２ｄ４と１２ｄ′４とを特定し、それらを表示する。
【００９９】
次に、ケーブル１２ｄ′４に接続されているアンテナ端子１６ａ４を表示する。同様にして４階部分の各部屋について機器、ケーブルを表示する。
【０１００】
このようにして描画された４階部分の上向き矢印Ｆｕ、２分配器１５ａ４、ケーブル１２ｄ４および１２ｄ′４、アンテナ端子１６ａ４にはそれぞれ開始階数情報（階情報）として“４”、終了階数情報（階情報）として“２”が記憶されている。４階部分の他の部屋についても同様である。
【０１０１】
そこで、ＣＰＵ６は４階部分の機器、ケーブルと同じ構成が３階部分と２階部分に存在すると判断し、４階部分の機器、ケーブルと同じ構成を３階部分、２階部分として階層方向にコピーし、ＴＶ配線系統図を展開する。
【０１０２】
なお、開始階数情報として“２”、終了階数情報として“４”を記憶させ、下層階側から上層階側に向けてＴＶ配線系統図を展開することもできる。
【０１０３】
２階部分までのＴＶ系統図が展開されると、ＣＰＵ６はケーブル１２ｄ２の出力機器ＩＤを参照することによりアンテナ端子１６ａ１を特定してシンボル表示し、このアンテナ端子１６ａ１には終了階数情報が存在していないため、ケーブル１２ｄ２の終点とする。
【０１０４】
このようにして階層方向にＴＶ配線を展開していくことにより建物全体のＴＶ配線系統図が自動的に作成される。
【０１０５】
ＴＶ配線系統図が作成された状態でキーボード２から終了を指示すると（図１１のステップＳ３３参照）、展開処理を終了する。
【０１０６】
ｅ）  ＴＶ配線系統図にてチェック・修正
図１３のフローは系統図チェック・修正処理を示したものである。
【０１０７】
図１２に示したＴＶ配線系統図において例えばＰＥＮＤのアンテナ端子１６ｆ１にカーソルを合わせ、レベル参照ボタン９ｏ（図７参照）をクリックすると、配線作成プログラムに記憶されている伝送損失計算式に対し、ＰＩＮからＰＥＮＤの経路で選択した機器の信号レベル、ケーブル長さ、ケーブルの損失等の値が代入され、ＰＥＮＤでの信号レベルが計算される。
【０１０８】
ここで信号レベルが所定値を満足しており、いわゆるレベル割れを発生していなければ（ステップＳ４０においてＮＯ）、レベル参照ボタン９ｏのさらに下層の数値表ボタン（図示しない）をクリックすることにより（ステップＳ４１においてＹＥＳ）、ＴＶ配線系統図の上流側から下流側に、系統図上の機器、ケーブルの信号レベルが計算されリスト形式で作成され（ステップＳ４２）、ディスプレイ５に表示される。
【０１０９】
また、ステップＳ４０においてレベル割れが発生している場合は、機器を変更したり、ケーブルの種類を変更したり、或いはケーブルの配線位置を変更してケーブル長さを短くする等の修正が必要となる。
【０１１０】
そこで、オペレータがＴＶ配線系統図上の例えば変更しようとする機器にポインタを合わせ、機器変更ボタン９ｎ（図７参照）をクリックすると（ステップＳ４３→４４）、機器の種類を変更することが可能になり、変更後の機器を設定（更新記憶）する編集処理が行われる（ステップＳ４５）。
【０１１１】
また、ＴＶ配線系統図上の変更しようとするケーブルにポインタを合わせケーブル変更ボタン９ｍをクリックすると（ステップＳ４３→４６）、ケーブルの種類を変更することが可能になる（ステップＳ４５）。
【０１１２】
また、ＴＶ配線系統図上の変更しようとするケーブルにポインタを合わせケーブル長変更ボタン９ｐをクリックすると（ステップＳ４３→４７）、ケーブルの配線位置を変更してその長さを短く変更することが可能になる（ステップＳ４５）。
【０１１３】
このようにしてＴＶ配線系統図が修正されるとステップＳ４０に戻り、レベル割れの判断に戻る。
【０１１４】
ここでオペレータが再計算ボタン９ｒをクリックすると、ＣＰＵ６はＴＶ配線系統図における変更した系統について信号レベルの伝送損失を再度計算する。
【０１１５】
変更された系統について信号レベルの減衰量が所定値以下であることが確認され（ステップＳ４０においてＮＯ）、オペレータから終了指示が入力されると（ステップＳ４８においてＹＥＳ）、系統図チェック・修正処理を終了する。
【０１１６】
なお、数量表ボタン９ｉをクリックすると、機器、ケーブルが種類毎に集計され、リスト表示されるようになっている。
【０１１７】
また、画面移動ボタン９ｊは表示範囲を移動するためにあり、属性編集ボタン９ｋは図面の属性を確認、編集するためにあり、図形削除ボタン９ｌは作図した図形を削除するためにあり、ＯＫボタン９ｓは入力を確定するためにあり、キャンセルボタン９ｔは命令、入力をキャンセルするためにある。
【０１１８】
ｆ）  ＴＶ配線系統図から立面図を展開
このようにしてＴＶ配線系統図が確立した状態で、オペレータが立面図ボタン９ｈ（図７参照）をクリックすると、ＴＶ配線系統図から立面図が展開されるようになっている。
【０１１９】
図１４に示すフローチャートはその立面図展開処理を示したものである。
【０１２０】
同図において、オペレータは作図ウインドウ内に、建物の各部屋を長方形に置き換えた格子状の立面図用枠Ｄ（図１５参照）を描く（ステップＳ５０）。
【０１２１】
本実施形態では１階の１０１号室から４階の４０６号室まで合計２４部屋をマトリクス状に描いている。
【０１２２】
次いで立面図ボタン９ｈをクリックして立面図作成指示を入力すると（ステップＳ５１）、ＣＰＵ６は、立面図用枠Ｄの各部屋に収まるように、その室内に配置されている機器、ケーブルを描く（ステップＳ５２）。
【０１２３】
ＣＰＵ６は例えば図１２の４０１号室に描かれた機器、ケーブルを抽出し、図１５に描かれた立面図用枠Ｄの４０１号室内に縮尺を合わせて割り付ける。
【０１２４】
この機器、ケーブルの抽出、割り付け作業を４０２〜４０６号室についても行い、階層方向すなわち４階から１階部分まで展開することにより、立面図を作成する。
【０１２５】
ステップＳ５３において立面図の編集がなされたかどうかを判断し、例えば部屋表示サイズを拡大または縮小したり、立面図用枠Ｄの位置を修正する等の編集が行われると、変更後の立面図用枠Ｄ内に収まるように機器やケーブルの配置を調整して表示しなおす（ステップＳ５４）。
【０１２６】
オペレータが編集終了を指示すると（ステップＳ５５）、立面図展開処理を終了する。
【０１２７】
このように立面図を作成すると、従来はＴＶ配線系統図を平面図でしか把握することができなかったが、立体的に把握することができるという利点がある。また、ＴＶ配線系統の一部でトラブルが発生した場合に、そのトラブルがどれだけの範囲の部屋に影響するかを瞬時に把握することができ、効率良くメンテナンスすることができるという利点もある。
【図面の簡単な説明】
【０１２８】
【図１】本発明に係るＴＶ配線自動作成装置の基本構成を示すブロック図である。
【図２】図１のハードウエア構成を示すブロック図である。
【図３】配線作成プログラム３ａによる主な処理の流れを示す説明図である。
【図４】機器・値の設定処理を示すフローチャートである。
【図５】平面図作成処理を示すフローチャートである。
【図６】平面図上にＴＶ配線を引く処理を示すフローチャートである。
【図７】作図メニューの内容を示す説明図である。
【図８】作図ウインドウ内に作図された屋上部分平面図である。
【図９】作図ウインドウ内に作図された２〜４階部分平面図である。
【図１０】作図ウインドウ内に作図された１階部分平面図である。
【図１１】ＴＶ配線系統図の展開処理を示すフローチャートである。
【図１２】展開されたＴＶ配線系統図である。
【図１３】系統図チェック・修正処理を示すフローチャートである。
【図１４】立面図展開処理を示すフローチャートである。
【図１５】展開された立面図である。
【符号の説明】
【０１２９】
１    ＴＶ配線自動作成装置
２    キーボード（入力装置）
３    ハードディスク（記憶部）
３ａ  配線作成プログラム
３ｂ  ＣＡＤプログラム
３ｃ  ＯＳ
４    制御部
５    ディスプレイ（表示部）
６    ＣＰＵ
７    メモリ
８    ＣＤ−ＲＯＭドライブ
８ａ  ＣＤ−ＲＯＭ
９    作図メニュー
１０    テレビジョンアンテナ
１１    増幅器
１２ａ  ケーブル
１２ｂ  ケーブル
１２ｄ０〜１２ｆ０  第１〜第３ケーブル
１２ｇ０〜１２ｉ０  第４〜第６ケーブル
１３    ２分配器
１４ａ  ３分配器
１５ａ４〜１５ｃ４  ２分岐器
１６ａ４  アンテナ端子
Ｆｄ    下向矢印
Ｆｕ    上向矢印
【図１】
2006331352.tif 000004
【図２】
2006331352.tif 000005
【図３】
2006331352.tif 000006
【図４】
2006331352.tif 000007
【図５】
2006331352.tif 000008
【図６】
2006331352.tif 000009
【図７】
2006331352.tif 000010
【図８】
2006331352.tif 000011
【図９】
2006331352.tif 000012
【図１０】
2006331352.tif 000013
【図１１】
2006331352.tif 000014
【図１２】
2006331352.tif 000015
【図１３】
2006331352.tif 000016
【図１４】
2006331352.tif 000017
【図１５】
2006331352.tif 000018